【事件の表示】
　平成１１年特許願第　　７４５２号「避雷器」拒絶査定不服審判事件〔平成１２年　７月２８日出願公開、特開２０００−２０８２３３〕について、次のとおり審決する。
【結　論】
　本件審判の請求は、成り立たない。
【理　由】
第１　手続の経緯
　本願は、平成１１年１月１４日の出願であって、平成１７年１１月１５日付けで、平成１７年６月１３日付けの手続補正を補正却下するとともに拒絶査定がなされ、これに対し、平成１７年１２月１９日に拒絶査定に対する審判請求がなされるとともに、平成１８年１月１６日付けで手続補正がなされ、その後、当審において平成１９年９月６日付けで審尋がなされ、同年１０月２４日に回答書が提出されたものである。
　
第２　平成１８年１月１６日付けの手続補正（以下、「本件補正」という。）についての補正却下の決定
　
　［補正却下の決定の結論］
　　平成１８年１月１６日付けの手続補正を却下する。
　
　［理由］
　１　補正後の本願発明
　本件補正により、特許請求の範囲の請求項１は、
「【請求項１】
　中空部を有する碍管と、
　碍管の上端に嵌合・保持される高圧側電極と、
　碍管の中空部内に収納されて高圧側電極の下端側に配置されるとともにこの高圧側電極の下端側と接触して電気的に接続されるスプリングと、
　電圧非直線特性を有する酸化亜鉛素子の上下面にスクリーン印刷による電極部を形成してなり、碍管の中空部内に収納されてスプリングの下側に配置されるとともにこのスプリングの下側に上面の電極部が接触して電気的に接続される高圧側誘電体素子と、
　碍管の中空部内に収納されて高圧側誘電体素子の下側に配置されるとともにこの高圧側誘電体素子の下面の電極部と接触して電気的に接続される中間電極と、
　電圧非直線特性を有する酸化亜鉛素子の上下面にスクリーン印刷による電極部を形成してなり、碍管の中空部内に収納されて中間電極の下側に配置されるとともにこの中間電極の下側に上面の電極部が接触して電気的に接続される低圧側誘電体素子と、
　低圧側誘電体素子の下側に配置されて、碍管の下端に中空部開口を塞ぐように嵌合・保持されるとともに、低圧側誘電体素子の下面の電極部と接触して電気的に接続される接地側電極と、
　接続線を介して中間電極と電気的に接続され、碍管側面で外側に露出しつつ碍管に固定されて設けられる端子と、
　を備え、
　スプリングの付勢力により高圧側電極、スプリング、電極部、高圧側誘電体素子、電極部、中間電極、電極部、低圧側誘電体素子、電極部、接地側電極の順に強固に密接させて電気的に接続することで、定常時には高インピーダンスの酸化亜鉛素子により小さい電流を流すようにして高圧側電極、スプリング、電極部、高圧側誘電体素子、電極部、中間電極を高圧側コンデンサとして、また、中間電極、電極部、低圧側誘電体素子、電極部、接地側電極を低圧側コンデンサとして電圧分担させて端子を介して出力するように機能させ、ならびに、過電圧時には低インピーダンスの酸化亜鉛素子により大きい電流を流すようにして高圧側電極、スプリング、電極部、高圧側誘電体素子、電極部、中間電極、電極部、低圧側誘電体素子、電極部、接地側電極の経路により電流を流すように機能させ、
　さらに、スプリングにより付勢力を与えた状態で高圧側電極、接地側電極および端子を碍管に機械的に一体に支持固定することで、外側に露出する高圧側電極、接地側電極、端子または碍管に加えられた外部からの力を内部へ伝えにくくするとともに内側のスプリングおよび端子の接続線が機械的変位を吸収して、内部の高圧側誘電体素子、中間電極、および、低圧側誘電体素子を保護する構造とすることを特徴とする避雷器。」と補正された。
　
　２　特許法第１７条の２第３項について
　本件補正によって請求項１に追加された「内側のスプリングおよび端子の接続線が機械的変位を吸収して、内部の高圧側誘電体素子、中間電極、および、低圧側誘電体素子を保護する構造とする」との補正事項は、願書に最初に添付した明細書又は図面（以下、「当初明細書等」という。）に記載がなく、また当初明細書等の記載から自明な事項でもないから、当初明細書等に記載した事項の範囲内においてしたものではなく、特許法第１７条の２第３項に規定する要件を満たしていない。
　
　３　特許法第１７条の２第４項について
　本件補正は、補正前の請求項１に「定常時には高インピーダンスの酸化亜鉛素子により小さい電流を流すようにして高圧側電極、スプリング、電極部、高圧側誘電体素子、電極部、中間電極を高圧側コンデンサとして、また、中間電極、電極部、低圧側誘電体素子、電極部、接地側電極を低圧側コンデンサとして電圧分担させて端子を介して出力するように機能させ、ならびに、過電圧時には低インピーダンスの酸化亜鉛素子により大きい電流を流すようにして高圧側電極、スプリング、電極部、高圧側誘電体素子、電極部、中間電極、電極部、低圧側誘電体素子、電極部、接地側電極の経路により電流を流すように機能させ、　さらに、スプリングにより付勢力を与えた状態で高圧側電極、接地側電極および端子を碍管に機械的に一体に支持固定することで、外側に露出する高圧側電極、接地側電極、端子または碍管に加えられた外部からの力を内部へ伝えにくくするとともに内側のスプリングおよび端子の接続線が機械的変位を吸収して、内部の高圧側誘電体素子、中間電極、および、低圧側誘電体素子を保護する構造とする」という機能などを付加する、すなわち新たな事項を付加する補正を含む補正であって、補正前の請求項１に記載した発明を特定するために必要な事項のいずれの限定とも認められないので、特許法第１７条の２第４項第２号に掲げる特許請求の範囲の減縮を目的とするものに該当せず、さらに、特許法第１７条の２第４項第１号、第３号、及び第４号に掲げる請求項の削除、誤記の訂正、明りょうでない記載の釈明のいずれの事項をも目的とするものではないので、特許法第１７条の２第４項に規定する要件を満たしていない。
　
　４　独立特許要件について
　仮に、補正前の請求項１に「定常時には高インピーダンスの酸化亜鉛素子により小さい電流を流すようにして高圧側電極、スプリング、電極部、高圧側誘電体素子、電極部、中間電極を高圧側コンデンサとして、また、中間電極、電極部、低圧側誘電体素子、電極部、接地側電極を低圧側コンデンサとして電圧分担させて端子を介して出力するように機能させ、ならびに、過電圧時には低インピーダンスの酸化亜鉛素子により大きい電流を流すようにして高圧側電極、スプリング、電極部、高圧側誘電体素子、電極部、中間電極、電極部、低圧側誘電体素子、電極部、接地側電極の経路により電流を流すように機能させ、　さらに、スプリングにより付勢力を与えた状態で高圧側電極、接地側電極および端子を碍管に機械的に一体に支持固定することで、外側に露出する高圧側電極、接地側電極、端子または碍管に加えられた外部からの力を内部へ伝えにくくするとともに内側のスプリングおよび端子の接続線が機械的変位を吸収して、内部の高圧側誘電体素子、中間電極、および、低圧側誘電体素子を保護する構造とする」を付加する補正が、特許法第１７条の２第４項第２号に掲げる特許請求の範囲の減縮を目的とするものに該当するとした場合、本件補正後の前記請求項１に記載された事項により特定される発明（以下、「本願補正発明」という。）が特許出願の際独立して特許を受けることができるものであるか（特許法第１７条の２第５項において準用する同法第１２６条第５項の規定に適合するか）について以下に検討する。
　
　（１）刊行物に記載された発明
　　（ア）刊行物１：特開平１０−３４０７７４号公報
　原査定の拒絶の理由に引用され、本願の出願日前に日本国内において頒布された刊行物１には、「避雷器およびそれを用いたガス絶縁開閉装置」（発明の名称）に関して、図１とともに以下の事項が記載されている。（なお、下線は、引用箇所のうち特に強調する部分に付加した。以下、同様。）
「【要約】
【課題】　この発明は、電圧変成器としての機能を備えた避雷器を得る。
【解決手段】　酸化亜鉛を主成分とする複数個の非直線抵抗素子３１を積層してなる積層体が容器３２内に収納され、該積層体の一端側を線路端とし、該積層体の他端側を接地端としている。該積層体は、複数個の厚い非直線抵抗素子３１ａと１個の薄い非直線抵抗素子３１ｂとからなり、非直線抵抗素子３１ｂが一対の電極板３７、３８に挟持されて接地端側に配置されている。そして、非直線抵抗素子３１ｂに誘起される電圧が電極板３７、３８およびリード線４８、４９を介して容器３２の外部に引き出され、電圧変成器として機能する。また、線路端に過電圧が発生すると、非直線抵抗素子３１の抵抗成分により電流が急激に流れ、接地端を介して放電され、避雷器として機能する。」
「【請求項１】　酸化亜鉛を主成分とする複数個の非直線抵抗素子を積層してなる積層体が容器内に収納され、該積層体の一端側を線路端とし、該積層体の他端側を接地端とする避雷器において、
一対の電極板が上記積層体の大地電位近傍に位置する上記非直線抵抗素子の両端に配置され、該一対の電極板を介して、該非直線抵抗素子に誘起される電圧を監視、制御用信号として上記容器の外部の信号処理部に取り出せるようにしたことを特徴とする避雷器。」
「【００１３】
【発明の実施の形態】以下、この発明の実施の形態を図について説明する。
実施の形態１
避雷器３０
この非直線抵抗素子３１は、非直線性がよく、しかも誘電率が高い酸化亜鉛を主成分として構成されている。そして、非直線抵抗素子３１は、
円筒状の絶縁管３４内に多数枚を重ねて収容され、絶縁性の下端板３５とバネ特性を有する上端板３６とに挟持されて加圧一体化されている。ここで、この非直線抵抗素子３１の積層体は、厚みｄ
１
の非直線抵抗素子３１ａが複数枚積層された下端に、一対の電極板３７、３８に挟持された１枚の厚みｄ
２
の非直線抵抗素子３１ｂを配置して構成されている
下部の電極板３８はリード線４６および端子４２を介して接地線４７に接続されている。また、上部および下部の電極板３７、３８はリード線４８、４９および端子４３ａ、４３ｂを介してそれぞれ制御線５０、５１に接続されている
「【００１５】この避雷器３０においては、酸化亜鉛を主成分とした非直線抵抗素子３１は優れた非直線抵抗特性の他に大きな静電容量を有していることから、コンデンサ成分Ｃと抵抗成分Ｒとが並列接続された等価回路で表すことができる。そして、
常時の電圧では、抵抗成分Ｒが高抵抗となっており、抵抗成分Ｒによるリーク電流ＩＲは流れず、コンデンサ成分Ｃによるリーク電流ＩＣのみが電圧に比例して流れることになる。そこで、リーク電流ＩＣにより非直線抵抗素子３１ｂに電圧が誘起される。この非直線抵抗素子３１ｂの誘起された電圧は、電極板３７、３８、リード線４８、４９、端子４３ａ、４３ｂおよび制御線５０、５１を介して監視・制御用信号として信号処理部（図示せず）に取り出され、
【００１６】
また、
雷サージ等の過電圧が発生した場合には、非直線抵抗素子３１には抵抗成分Ｒにより急激に電流が流れるようになる。そこで、雷サージ等が、
上端板３６を介して非直線抵抗素子３１の積層体に導かれ、さらに電極板３８、リード線４６、端子４２および接地線４７を通って放電される
【００１７】このように、この実施の形態１によれば、非直線抵抗素子３１ａが多数積層され、非直線抵抗素子３１ａに比べて薄く成形された１枚の非直線抵抗素子３１ｂが一対の電極板３７、３８に挟持されて非直線抵抗素子３１ａの積層体の下部に配置されてなる積層体を、上端板３６と絶縁性の下端板３５とで加圧状態で挟持して容器３２内に立設された絶縁管３４内に収容し、下側の電極板３８を接地するとともに、上下の電極板３７、３８を介して非直線抵抗素子３１ｂに誘起される電圧を監視・制御用信号として取り出せるようにしているので、
電圧変成器として機能する避雷器を得ることができる
　
　以上から、刊行物１には、特に図１の実施の形態１に注目すると、
「誘電率が高い酸化亜鉛を主成分として構成されている非直線抵抗素子３１は、円筒状の絶縁管３４内に多数枚を重ねて収容され、絶縁性の下端板３５とバネ特性を有する上端板３６とに挟持されて加圧一体化されており、この非直線抵抗素子３１の積層体は、厚みｄ１の非直線抵抗素子３１ａが複数枚積層された下端に、一対の電極板３７、３８に挟持された１枚の厚みｄ２の非直線抵抗素子３１ｂを配置して構成されており、下部の電極板３８はリード線４６および端子４２を介して接地線４７に接続され、上部および下部の電極板３７、３８はリード線４８、４９および端子４３ａ、４３ｂを介してそれぞれ制御線５０、５１に接続されており、
　常時の電圧では、抵抗成分Ｒが高抵抗となっており、抵抗成分Ｒによるリーク電流ＩＲは流れず、コンデンサ成分Ｃによるリーク電流ＩＣのみが電圧に比例して流れ、非直線抵抗素子３１ｂに電圧が誘起され、電極板３７、３８、リード線４８、４９、端子４３ａ、４３ｂおよび制御線５０、５１を介して監視・制御用信号として信号処理部に取り出され、また、雷サージ等の過電圧が発生した場合には、非直線抵抗素子３１には抵抗成分Ｒにより急激に電流が流れるようになり、上端板３６を介して非直線抵抗素子３１の積層体に導かれ、さらに電極板３８、リード線４６、端子４２および接地線４７を通って放電される、電圧変成器として機能する避雷器。」（以下、「引用発明」という。）が記載されている。
　
　　（イ）刊行物２：特開昭５６−１０９０２号公報
　原査定の拒絶の理由に引用され、本願の出願日前に日本国内において頒布された刊行物２には、「避雷器」（発明の名称）に関して、図１〜図４とともに以下の事項が記載されている。
「以上述べたとおり、
避雷器の要素である高次非直線抵抗体の静電容量を利用して電圧検出することにより、
避雷器に電圧検出機能を付加する
なお、以上の説明では避雷器の形式について述べなかつたが、
がい管内に避雷器要素を収納したがい子形にも適用できる
　
　（２）本願補正発明と引用発明との対比・判断
　本願補正発明と引用発明とを対比すると、引用発明の「円筒状の絶縁管３４」は、中空部を有することは明らかであり、さらに、「管」として本願補正発明の「碍管」と共通であるから、本願補正発明の「中空部を有する」「管」に相当する。
　さらに、引用発明の「上端板３６」は、刊行物１の図１から明らかなように「絶縁管３４の上端に嵌合・保持され」ており、電極と言えるものであり、また、下部の電極板３８はリード線４６および端子４２を介して接地線４７に接続され接地側なので、下部の電極板３８に対して非直線抵抗素子３１を介して上部にある「上端板３６」は、「高圧側」であることは明らかであるから、引用発明の「上端板３６」は、本願補正発明の「管の上端に嵌合・保持される高圧側電極」に相当する。
　引用発明の「非直線抵抗素子３１ａ」は、誘電率が高い酸化亜鉛を主成分として構成されており、また、絶縁管３４内に収容され、非直線抵抗素子３１ｂに対して高圧側に配置されているので、引用発明の「非直線抵抗素子３１ａが複数枚積層された」もの（以下、「
積層非直線抵抗素子３１ａ
　引用発明の「上部の電極板３７」は、絶縁管３４内に収容され、非直線抵抗素子３１ａが複数枚積層された下端に接触して配置されており、電気的に接続されていることは、明らかであるから、引用発明の「上部の電極板３７」は、本願補正発明の「管の中空部内に収納されて高圧側誘電体素子の下側に配置されるとともにこの高圧側誘電体素子の下面」「と」「電気的に接続される中間電極」に相当する。
　引用発明の「非直線抵抗素子３１ｂ」は、誘電率が高い酸化亜鉛を主成分として構成されており、また、絶縁管３４内に収容され、上部の電極板３７の下側に接触して低圧側に配置されており、電気的に接続されていることは、明らかであるから、引用発明の「非直線抵抗素子３１ｂ」は、本願補正発明の「電圧非直線特性を有する酸化亜鉛素子」であり、「管の中空部内に収納されて中間電極の下側に配置されるとともにこの中間電極の下側に上面」「が」「電気的に接続される低圧側誘電体素子」に相当する。
　引用発明の「下部の電極板３８」は、非直線抵抗素子３１ｂの下側に配置され、非直線抵抗素子３１ｂの下面と接触して電気的に接続されていることは、明らかであり、また、リード線４６および端子４２を介して接地線４７に接続されているから、引用発明の「下部の電極板３８」は、本願補正発明の「低圧側誘電体素子の下側に配置されて、」「低圧側誘電体素子の下面」「と」「電気的に接続される接地側電極」に相当する。
　引用発明では、上部の電極板３７はリード線４８および端子４３ａを介してそれぞれ制御線５０に接続されている、すなわちリード線４８を介して上部の電極板３７と電気的に接続される端子４３ａを備えているので、引用発明の「リード線４８を介して上部の電極板３７と電気的に接続される端子４３ａ」は、本願補正発明の「接続線を介して中間電極と電気的に接続され」「る端子」に相当する。
　引用発明では、上端板３６、積層非直線抵抗素子３１ａ、上部の電極板３７、非直線抵抗素子３１ｂ、下部の電極板３８の順に電気的に接続されており、また、刊行物１の【００１５】及び【００１６】の記載も考慮すれば、引用発明においても、定常時には高インピーダンスの酸化亜鉛を主成分として構成された非直線抵抗素子３１により小さい電流を流すようにして上端板３６、積層非直線抵抗素子３１ａ、上部の電極板３７を高圧側コンデンサとして、また、上部の電極板３７、非直線抵抗素子３１ｂ、下部の電極板３８を低圧側コンデンサとして電圧分担させて端子４３ａを介して出力するように機能させ、ならびに、過電圧時には低インピーダンスの酸化亜鉛を主成分として構成された非直線抵抗素子３１により大きい電流を流すようにして上端板３６、積層非直線抵抗素子３１ａ、上部の電極板３７、非直線抵抗素子３１ｂ、下部の電極板３８の経路により電流を流すように機能させていることは、明らかであるから、引用発明のこれらの点は、本願補正発明の「高圧側電極、」「高圧側誘電体素子、」「中間電極、」「低圧側誘電体素子、」「接地側電極の順に」「電気的に接続することで、定常時には高インピーダンスの酸化亜鉛素子により小さい電流を流すようにして高圧側電極、」「高圧側誘電体素子、」「中間電極を高圧側コンデンサとして、また、中間電極、」「低圧側誘電体素子、」「接地側電極を低圧側コンデンサとして電圧分担させて端子を介して出力するように機能させ、ならびに、過電圧時には低インピーダンスの酸化亜鉛素子により大きい電流を流すようにして高圧側電極、」「高圧側誘電体素子、」「中間電極、」「低圧側誘電体素子、」「接地側電極の経路により電流を流すように機能させ」ていることに相当する。
　
　ゆえに、両者は、
「中空部を有する管と、
　管の上端に嵌合・保持される高圧側電極と、
　電圧非直線特性を有する酸化亜鉛素子であり、管の中空部内に収納される高圧側誘電体素子と、
　管の中空部内に収納されて高圧側誘電体素子の下側に配置されるとともにこの高圧側誘電体素子の下面と電気的に接続される中間電極と、
　電圧非直線特性を有する酸化亜鉛素子であり、管の中空部内に収納されて中間電極の下側に配置されるとともにこの中間電極の下側に上面が電気的に接続される低圧側誘電体素子と、
　低圧側誘電体素子の下側に配置されて、低圧側誘電体素子の下面と電気的に接続される接地側電極と、
　接続線を介して中間電極と電気的に接続される端子と、
　を備え、
　高圧側電極、高圧側誘電体素子、中間電極、低圧側誘電体素子、接地側電極の順に電気的に接続することで、定常時には高インピーダンスの酸化亜鉛素子により小さい電流を流すようにして高圧側電極、高圧側誘電体素子、中間電極を高圧側コンデンサとして、また、中間電極、低圧側誘電体素子、接地側電極を低圧側コンデンサとして電圧分担させて端子を介して出力するように機能させ、ならびに、過電圧時には低インピーダンスの酸化亜鉛素子により大きい電流を流すようにして高圧側電極、高圧側誘電体素子、中間電極、低圧側誘電体素子、接地側電極の経路により電流を流すように機能させることを特徴とする避雷器。」である点で一致し、以下の点で相違する。
　
［相違点１］本願補正発明では、管が「碍管」であり、「碍管の中空部内に収納されて高圧側電極の下端側に配置されるとともにこの高圧側電極の下端側と接触して電気的に接続されるスプリング」を備え、高圧側誘電体素子が「スプリングの下側に配置されるとともにこのスプリングの下側に上面」「が」「電気的に接続され」、さらに、接地側電極が「碍管の下端に中空部開口を塞ぐように嵌合・保持され」る構成を備えているのに対して、引用発明では、そのような構成を備えていない点。
［相違点２］本願補正発明では、高圧側誘電体素子及び低圧側誘電体素子が「電圧非直線特性を有する酸化亜鉛素子の上下面にスクリーン印刷による電極部を形成して」あり、この電極部を介してスプリングの下側、中間電極、接地側電極とそれぞれ接触して電気的に接続される構成を備えているのに対して、引用発明では、そのような構成を備えていない点。
［相違点３］本願補正発明では、端子が「碍管側面で外側に露出しつつ碍管に固定されて設けられ」る構成を備えているのに対して、引用発明では、そのような構成を備えていない点。
［相違点４］本願補正発明では、「スプリングの付勢力により高圧側電極、スプリング、電極部、高圧側誘電体素子、電極部、中間電極、電極部、低圧側誘電体素子、電極部、接地側電極の順に強固に密接させて電気的に接続することで、定常時には高インピーダンスの酸化亜鉛素子により小さい電流を流すようにして高圧側電極、スプリング、電極部、高圧側誘電体素子、電極部、中間電極を高圧側コンデンサとして、また、中間電極、電極部、低圧側誘電体素子、電極部、接地側電極を低圧側コンデンサとして電圧分担させて端子を介して出力するように機能させ、ならびに、過電圧時には低インピーダンスの酸化亜鉛素子により大きい電流を流すようにして高圧側電極、スプリング、電極部、高圧側誘電体素子、電極部、中間電極、電極部、低圧側誘電体素子、電極部、接地側電極の経路により電流を流すように機能させ」る構成を備えているのに対して、引用発明では、スプリング、電極部を備えておらず、強固に密接させているか不明である点。
［相違点５］本願補正発明では、「さらに、スプリングにより付勢力を与えた状態で高圧側電極、接地側電極および端子を碍管に機械的に一体に支持固定することで、外側に露出する高圧側電極、接地側電極、端子または碍管に加えられた外部からの力を内部へ伝えにくくするとともに内側のスプリングおよび端子の接続線が機械的変位を吸収して、内部の高圧側誘電体素子、中間電極、および、低圧側誘電体素子を保護する構造と」する構成を備えているのに対して、引用発明では、そのような構成を備えていない点。
　
　そこで、上記相違点について検討する。
［相違点１］
（ア）刊行物２には、「
避雷器の要素である高次非直線抵抗体の静電容量を利用して電圧検出することにより、・・・避雷器に電圧検出機能を付加する・・・なお、以上の説明では避雷器の形式について述べなかつたが、・・・がい管内に避雷器要素を収納したがい子形にも適用できる
（イ）さらに、「中空部を有する碍管と、　碍管の上端に嵌合・保持される高圧側電極と、　碍管の中空部内に収納されて高圧側電極の下端側に配置されるとともにこの高圧側電極の下端側と接触して電気的に接続されるスプリングと、　碍管の中空部内に収納されてスプリングの下側に配置されるとともにこのスプリングの下側に接触して電気的に接続される電圧非直線抵抗素子と、　電圧非直線抵抗素子の下側に配置されて、碍管の下端に中空部開口を塞ぐように嵌合・保持されるとともに、電圧非直線抵抗素子の下面と接触して電気的に接続される接地側電極とを備えた避雷器」は、例えば、特開平６−２０４００９号公報（【００１２】，【００１３】，図１のＥＲＰ絶縁筒体１と絶縁外被体２とで構成された碍子３，高電圧側の電極金具５２，スプリング５３，非直線性の抵抗素子（酸化亜鉛素子）４，接地用の電極金具５１参照。）、特開平４−１５４０６８号公報（特許請求の範囲，第１頁右下欄第９行〜第１６行，第４図の碍子１２，上部電極金具５，スプリング９，電圧電流非直線性抵抗素子（限流素子）２，下部電極金具６参照。）、特開平９−２９８１０１号公報（【０００３】，【０００４】，図３のＥＲＰ製の絶縁筒２と絶縁外被体６（碍管に相当），電線側端子となる金属ブロック状電極４，圧縮ばね７，ＺｎＯ等からなる限流素子１，接地側端子となる金属ブロック状電極３参照。）にも示されるように周知である。
（ウ）そして、刊行物２の上記（ア）の記載を考慮すれば、上記（イ）の周知の碍管内に避雷器要素を収納した碍子形避雷器の構造を引用発明に適用し、引用発明において、絶縁管を「碍管」とし、「碍管の中空部内に収納されて上端板３６（高圧側電極）の下端側に配置されるとともにこの上端板３６（高圧側電極）の下端側と接触して電気的に接続されるスプリング」を備え、積層非直線抵抗素子３１ａ（高圧側誘電体素子）が「スプリングの下側に配置されるとともにこのスプリングの下側に上面」「が」「電気的に接続され」、さらに、下部の電極板３８（接地側電極）が「碍管の下端に中空部開口を塞ぐように嵌合・保持され」るようにすることは、当業者が適宜なし得たことである。
　
［相違点２］
　避雷器にも用いられる電圧非直線特性を有する酸化亜鉛素子の上下面にスクリーン印刷による電極部を形成することは、例えば、特開平７−１３０５０６号公報（「【請求項１】　
ＺｎＯ
電極形成する工程
スクリーン印刷
避雷器
避雷器
非直線抵抗体
前記電極がスクリーン印刷法
酸化亜鉛バリスタ
避雷器
　そうすれば、上記相違点１において検討したとおり、上記周知の碍管内に避雷器要素を収納した碍子形避雷器の構造を引用発明に適用することは、当業者が適宜なし得たことであり、その場合、スプリングも備えているので、引用発明において、積層非直線抵抗素子３１ａ及び非直線抵抗素子３１ｂが、スクリーン印刷による電極部を介してスプリングの下側、上部の電極板３７（中間電極）、下部の電極板３８（接地側電極）とそれぞれ接触して電気的に接続されることになることは、明らかである。
　
［相違点３］
　刊行物１の記載（図１の端子４３ａ参照。）によれば、引用発明の端子４３ａは、絶縁管３４の外側の容器３２に固定されているが、上記相違点１において検討したとおり、上記周知の碍管内に避雷器要素を収納した碍子形避雷器の構造を引用発明に適用することは、当業者が適宜なし得たことであり、その場合、引用発明において、端子４３ａを碍管側面で外側に露出しつつ碍管に固定して設けることは、当業者が適宜なし得たことである。
　
［相違点４］
　上記相違点１，２で検討したとおり、引用発明において、スプリングやスクリーン印刷による電極部を設けることは、当業者が適宜なし得たことであり、引用発明においてスプリングやスクリーン印刷による電極部を設けた避雷器は、本願補正発明と同様に「スプリングの付勢力により高圧側電極、スプリング、電極部、高圧側誘電体素子、電極部、中間電極、電極部、低圧側誘電体素子、電極部、接地側電極の順に強固に密接させて電気的に接続することで、定常時には高インピーダンスの酸化亜鉛素子により小さい電流を流すようにして高圧側電極、スプリング、電極部、高圧側誘電体素子、電極部、中間電極を高圧側コンデンサとして、また、中間電極、電極部、低圧側誘電体素子、電極部、接地側電極を低圧側コンデンサとして電圧分担させて端子を介して出力するように機能させ、ならびに、過電圧時には低インピーダンスの酸化亜鉛素子により大きい電流を流すようにして高圧側電極、スプリング、電極部、高圧側誘電体素子、電極部、中間電極、電極部、低圧側誘電体素子、電極部、接地側電極の経路により電流を流すように機能させ」た避雷器となることは、明らかである。
　仮に、そうでないとしても、引用発明において、スプリングやスクリーン印刷による電極部を設ける際に、このような機能を持たせた避雷器とすることは、当業者が適宜なし得たことである。
　
［相違点５］
　上記相違点１，３で検討したとおり、上記周知の碍管内に避雷器要素を収納した碍子形避雷器の構造を引用発明に適用したり、引用発明において、端子４３ａを碍管側面で外側に露出しつつ碍管に固定して設けることは、当業者が適宜なし得たことであり、その場合、引用発明においても、「スプリングにより付勢力を与えた状態で上端板３６（高圧側電極）、下部の電極板３８（接地側電極）および端子４３ａを碍管に機械的に一体に支持固定すること」になり、本願補正発明と同様に、「外側に露出する高圧側電極、接地側電極、端子または碍管に加えられた外部からの力を内部へ伝えにくくするとともに内側のスプリングおよび端子の接続線が機械的変位を吸収して、内部の高圧側誘電体素子、中間電極、および、低圧側誘電体素子を保護する構造と」なっていることは、明らかである。
　仮に、そうでないとしても、上記周知の碍管内に避雷器要素を収納した碍子形避雷器の構造を引用発明に適用したり、引用発明において、端子４３ａを碍管側面で外側に露出しつつ碍管に固定して設ける際に、このような構造とすることは、当業者が適宜なし得たことである。
　
　また、本願補正発明の効果についても、刊行物１，２に記載された発明及び周知技術から予測された範囲内のものであり、格別のものとは認められない。
　
　したがって、本願補正発明は、刊行物１，２に記載された発明及び周知技術に基づいて、当業者が容易に発明をすることができたものであるから、特許法第２９条第２項の規定により、特許出願の際独立して特許を受けることができないものである。
　
　５　むすび
　以上のとおり、本件補正は、特許法第１７条の２第３項及び第４項に規定する要件を満たさず、仮に特許法第１７条の２第４項に規定する要件を満たしているとしても、特許法第１７条の２第５項において準用する同法第１２６条第５項の規定に適合しないので、特許法第１５９条第１項において読み替えて準用する同法第５３条第１項の規定により却下すべきものである。
　
第３　本願発明について
　１　本願発明
　平成１８年１月１６日付けの手続補正は上記のとおり却下されたので、本願の請求項１に係る発明（以下、「本願発明」という。）は、平成１６年９月２２日付け手続補正書の特許請求の範囲の請求項１に記載された事項により特定される、以下のとおりのものである。
「【請求項１】
　中空部を有する碍管と、
　碍管の上端に嵌合・保持される高圧側電極と、
　碍管の中空部内に収納されて高圧側電極の下端側に配置されるスプリングと、
　碍管の中空部内に収納されてスプリングの下側に配置され、電圧非直線特性を有する高圧側誘電体素子と、
　碍管の中空部内に収納されて高圧側誘電体素子の下側に配置される中間電極と、
　碍管の中空部内に収納されて中間電極の下側に配置され、電圧非直線特性を有する低圧側誘電体素子と、
　低圧側誘電体素子の下側に配置されて、碍管の下端に中空部開口を塞ぐように嵌合・保持される接地側電極と、
　中間電極と電気的に接続され、碍管側面に設けられる端子と、
　を備え、
　高圧側誘電体素子および低圧側誘電体素子のそれぞれ上下面にスクリーン印刷による電極部を形成し、スプリングの付勢力により高圧側電極、スプリング、電極部、高圧側誘電体素子、電極部、中間電極、電極部、低圧側誘電体素子、電極部、接地側電極の順に強固に密接させて電気的に接続するとともに、高圧側電極および接地側電極を碍管に支持固定して機械的に一体構造とすることを特徴とする避雷器。」
　
　２　刊行物に記載された発明
　前記「第２　４（１）」に記載したとおりである。　
　
　３　本願発明と引用発明との対比・判断
　本願発明と引用発明とを対比すると、引用発明の「円筒状の絶縁管３４」は、中空部を有することは明らかであり、さらに、「管」として本願発明の「碍管」と共通であるから、本願発明の「中空部を有する」「管」に相当する。
　さらに、引用発明の「上端板３６」は、刊行物１の図１から明らかなように「絶縁管３４の上端に嵌合・保持され」ており、電極と言えるものであり、また、下部の電極板３８はリード線４６および端子４２を介して接地線４７に接続され接地側なので、下部の電極板３８に対して非直線抵抗素子３１を介して上部にある「上端板３６」は、「高圧側」であることは明らかであるから、引用発明の「上端板３６」は、本願発明の「管の上端に嵌合・保持される高圧側電極」に相当する。
　引用発明の「非直線抵抗素子３１ａ」は、誘電率が高い酸化亜鉛を主成分として構成されており、また、絶縁管３４内に収容され、非直線抵抗素子３１ｂに対して高圧側に配置されているので、引用発明の「非直線抵抗素子３１ａが複数枚積層された」もの（以下、「
積層非直線抵抗素子３１ａ
　引用発明の「上部の電極板３７」は、絶縁管３４内に収容され、非直線抵抗素子３１ａが複数枚積層された下端に配置されているから、引用発明の「上部の電極板３７」は、本願発明の「管の中空部内に収納されて高圧側誘電体素子の下側に配置される中間電極」に相当する。
　引用発明の「非直線抵抗素子３１ｂ」は、誘電率が高い酸化亜鉛を主成分として構成されており、また、絶縁管３４内に収容され、上部の電極板３７の下側に接触して低圧側に配置されているから、引用発明の「非直線抵抗素子３１ｂ」は、本願発明の「管の中空部内に収納されて中間電極の下側に配置され、電圧非直線特性を有する低圧側誘電体素子」に相当する。
　引用発明の「下部の電極板３８」は、非直線抵抗素子３１ｂの下側に配置されており、また、リード線４６および端子４２を介して接地線４７に接続されているから、引用発明の「下部の電極板３８」は、本願発明の「低圧側誘電体素子の下側に配置され」「る接地側電極」に相当する。
　引用発明では、上部の電極板３７はリード線４８および端子４３ａを介してそれぞれ制御線５０に接続されている、すなわちリード線４８を介して上部の電極板３７と電気的に接続される端子４３ａを備えているので、引用発明の「リード線４８を介して上部の電極板３７と電気的に接続される端子４３ａ」は、本願発明の「中間電極と電気的に接続され」「る端子」に相当する。
　引用発明において、上端板３６、積層非直線抵抗素子３１ａ、上部の電極板３７、非直線抵抗素子３１ｂ、下部の電極板３８の順に電気的に接続されていることは、明らかであるから、引用発明のこの点は、本願発明の「高圧側電極、」「高圧側誘電体素子、」「中間電極、」「低圧側誘電体素子、」「接地側電極の順に」「電気的に接続する」ことに相当する。
　
　ゆえに、両者は、
「中空部を有する管と、
　管の上端に嵌合・保持される高圧側電極と、
　管の中空部内に収納され、電圧非直線特性を有する高圧側誘電体素子と、
　管の中空部内に収納されて高圧側誘電体素子の下側に配置される中間電極と、
　管の中空部内に収納されて中間電極の下側に配置され、電圧非直線特性を有する低圧側誘電体素子と、
　低圧側誘電体素子の下側に配置される接地側電極と、
　中間電極と電気的に接続される端子と、
　を備え、
　高圧側電極、高圧側誘電体素子、中間電極、低圧側誘電体素子、接地側電極の順に電気的に接続することを特徴とする避雷器。」である点で一致し、以下の点で相違する。
　
［相違点１］本願発明では、管が「碍管」であり、「碍管の中空部内に収納されて高圧側電極の下端側に配置されるスプリング」を備え、高圧側誘電体素子が「スプリングの下側に配置され」、さらに、接地側電極が「碍管の下端に中空部開口を塞ぐように嵌合・保持され」る構成を備えているのに対して、引用発明では、そのような構成を備えていない点。
［相違点２］本願発明では、「高圧側誘電体素子および低圧側誘電体素子のそれぞれ上下面にスクリーン印刷による電極部を形成し」てあり、この電極部を介してスプリング、中間電極、接地側電極とそれぞれ電気的に接続される構成を備えているのに対して、引用発明では、そのような構成を備えていない点。
［相違点３］本願発明では、端子が「碍管側面に設けられ」る構成を備えているのに対して、引用発明では、そのような構成を備えていない点。
［相違点４］本願発明では、「スプリングの付勢力により高圧側電極、スプリング、電極部、高圧側誘電体素子、電極部、中間電極、電極部、低圧側誘電体素子、電極部、接地側電極の順に強固に密接させて電気的に接続」される構成を備えているのに対して、引用発明では、スプリング、電極部を備えておらず、強固に密接させているか不明である点。
［相違点５］本願発明では、「高圧側電極および接地側電極を碍管に支持固定して機械的に一体構造と」する構成を備えているのに対して、引用発明では、そのような構成を備えていない点。
　
　そこで、上記相違点について検討する。
［相違点１］
（ア）刊行物２には、「
避雷器の要素である高次非直線抵抗体の静電容量を利用して電圧検出することにより、・・・避雷器に電圧検出機能を付加する・・・なお、以上の説明では避雷器の形式について述べなかつたが、・・・がい管内に避雷器要素を収納したがい子形にも適用できる
（イ）さらに、「中空部を有する碍管と、　碍管の上端に嵌合・保持される高圧側電極と、　碍管の中空部内に収納されて高圧側電極の下端側に配置されるスプリングと、　碍管の中空部内に収納されてスプリングの下側に配置される電圧非直線抵抗素子と、　電圧非直線抵抗素子の下側に配置されて、碍管の下端に中空部開口を塞ぐように嵌合・保持される接地側電極とを備えた避雷器」は、例えば、特開平６−２０４００９号公報（【００１２】，【００１３】，図１のＥＲＰ絶縁筒体１と絶縁外被体２とで構成された碍子３，高電圧側の電極金具５２，スプリング５３，非直線性の抵抗素子（酸化亜鉛素子）４，接地用の電極金具５１参照。）、特開平４−１５４０６８号公報（特許請求の範囲，第１頁右下欄第９行〜第１６行，第４図の碍子１２，上部電極金具５，スプリング９，電圧電流非直線性抵抗素子（限流素子）２，下部電極金具６参照。）、特開平９−２９８１０１号公報（【０００３】，【０００４】，図３のＥＲＰ製の絶縁筒２と絶縁外被体６（碍管に相当），電線側端子となる金属ブロック状電極４，圧縮ばね７，ＺｎＯ等からなる限流素子１，接地側端子となる金属ブロック状電極３参照。）にも示されるように周知である。
（ウ）そして、刊行物２の上記（ア）の記載を考慮すれば、上記（イ）の周知の碍管内に避雷器要素を収納した碍子形避雷器の構造を引用発明に適用し、引用発明において、絶縁管を「碍管」とし、「碍管の中空部内に収納されて上端板３６（高圧側電極）の下端側に配置されるスプリング」を備え、積層非直線抵抗素子３１ａ（高圧側誘電体素子）が「スプリングの下側に配置され」、さらに、下部の電極板３８（接地側電極）が「碍管の下端に中空部開口を塞ぐように嵌合・保持され」るようにすることは、当業者が適宜なし得たことである。
　
［相違点２］
　避雷器にも用いられる電圧非直線特性を有する酸化亜鉛素子の上下面にスクリーン印刷による電極部を形成することは、例えば、特開平７−１３０５０６号公報（「【請求項１】　
ＺｎＯ
電極形成する工程
スクリーン印刷
避雷器
避雷器
非直線抵抗体
前記電極がスクリーン印刷法
酸化亜鉛バリスタ
避雷器
　そうすれば、上記相違点１において検討したとおり、上記周知の碍管内に避雷器要素を収納した碍子形避雷器の構造を引用発明に適用することは、当業者が適宜なし得たことであり、その場合、スプリングも備えているので、引用発明において、積層非直線抵抗素子３１ａ及び非直線抵抗素子３１ｂが、スクリーン印刷による電極部を介してスプリング、上部の電極板３７（中間電極）、下部の電極板３８（接地側電極）とそれぞれ電気的に接続されることになることは、明らかである。
　
［相違点３］
　刊行物１の記載（図１の端子４３ａ参照。）によれば、引用発明の端子４３ａは、絶縁管３４の外側の容器３２に固定されているが、上記相違点１において検討したとおり、上記周知の碍管内に避雷器要素を収納した碍子形避雷器の構造を引用発明に適用することは、当業者が適宜なし得たことであり、その場合、引用発明において、端子４３ａを碍管側面に設けることは、当業者が適宜なし得たことである。
　
［相違点４］
　上記相違点１，２で検討したとおり、引用発明において、スプリングやスクリーン印刷による電極部を設けることは、当業者が適宜なし得たことであり、引用発明においてスプリングやスクリーン印刷による電極部を設けた避雷器は、本願発明と同様に「スプリングの付勢力により高圧側電極、スプリング、電極部、高圧側誘電体素子、電極部、中間電極、電極部、低圧側誘電体素子、電極部、接地側電極の順に強固に密接させて電気的に接続」された避雷器となることは、明らかである。
　仮に、そうでないとしても、引用発明において、スプリングやスクリーン印刷による電極部を設ける際に、このような避雷器とすることは、当業者が適宜なし得たことである。
　
［相違点５］
　上記相違点１で検討したとおり、上記周知の碍管内に避雷器要素を収納した碍子形避雷器の構造を引用発明に適用することは、当業者が適宜なし得たことであり、その場合、引用発明においても、「上端板３６（高圧側電極）及び下部の電極板３８（接地側電極）を碍管に支持固定して機械的に一体構造と」なっていることは、明らかである。
　仮に、そうでないとしても、上記周知の碍管内に避雷器要素を収納した碍子形避雷器の構造を引用発明に適用する際に、このような一体構造とすることは、当業者が適宜なし得たことである。
　
　また、本願発明の効果についても、刊行物１，２に記載された発明及び周知技術から予測された範囲内のものであり、格別のものとは認められない。
　
　したがって、本願発明は、刊行物１，２に記載された発明及び周知技術に基づいて、当業者が容易に発明をすることができたものである。
　
　４　むすび
　以上のとおり、本願発明は、刊行物１，２に記載された発明及び周知技術に基づいて、当業者が容易に発明をすることができたものであるから、特許法第２９条第２項の規定により特許を受けることができず、他の請求項に係る発明について検討するまでもなく、本願は拒絶されるべきものである。
　よって、結論のとおり審決する。